(57)【要約】【課題】  被判定画像データを生成したカメラを高い信頼性で判定することを可能にする撮像装置を提供する。【解決手段】  記憶画素領域特定部６は、画像変化量検出部５が検出した画像の変化量データＳ５を基に、有効画像データＳ３内の記憶画像データＳ４の位置をランダムに特定する。画像データ生成部４は、上記特定された位置を基に記憶画像データＳ４を生成し、これをメモリ７に書き込む。【選択図】  図１
2005204011.tif 000002
【特許請求の範囲】
【請求項１】
第１の画素領域内にマトリクス状に配設された受光感度に固有のバラツキがある複数の受光素子を有する撮像手段と、
前記第１の画素領域内で第２の画素領域をランダムに決定する決定手段と、
前記撮像手段の前記複数の受光素子の受光結果のうち、前記決定手段が決定した前記第２の画素領域内にマトリクス状に位置する複数の前記受光素子の受光結果を基に、前記バラツキに応じた固有の特徴データを含む画像データを生成する生成手段と
を有する撮像装置。
【請求項２】
前記決定手段は、前記撮像手段による撮像が行われる度に前記第２の画素領域をランダムに決定する
請求項１に記載の撮像装置。
【請求項３】
前記決定手段は、矩形状の固定サイズの前記第２の画素領域をランダムに決定する
請求項１に記載の撮像装置。
【請求項４】
前記第１の画素領域内の前記受光素子の受光結果を基に、当該受光結果に応じた画像データの変化量を検出する変化量検出手段
をさらに有し、
前記決定手段は、前記変化量検出手段が検出した前記変化量を基に、前記第２の画素領域をランダムに決定する
請求項１に記載の撮像装置。
【請求項５】
前記決定手段は、前記変化量検出手段が検出した前記変化量を基に、前記第２の画素領域の位置変化量の範囲を決定し、当該決定した範囲内で前記２の画素領域を決定する
請求項４に記載の撮像装置。
【請求項６】
前記決定手段は、前記変化量検出手段が検出した前記変化量を基に、前記第２の画素領域の移動量を決定し、当該決定した移動量だけ前記第２の画素領域を移動する
請求項４に記載の撮像装置。
【請求項７】
前記変化量検出手段は、前記撮像手段が連続して生成した複数の前記画像データの間の差異を基に前記変化量を検出する
請求項４に記載の撮像装置。
【請求項８】
第１の画素領域内にマトリクス状に配設された受光感度に固有のバラツキがある複数の受光素子の受光結果を基に画像データを生成するデータ処理方法であって、
前記第１の画素領域内で第２の画素領域をランダムに決定する第１の工程と、
前記複数の受光素子の受光結果のうち、前記第１の工程で決定した前記第２の画素領域内にマトリクス状に位置する複数の前記受光素子の受光結果を基に、前記バラツキに応じた固有の特徴データを含む画像データを生成する第２の工程と
を有するデータ処理方法。
【発明の詳細な説明】
【技術分野】
【０００１】
本発明は、受光感度に固有のバラツキがある複数の受光素子を備え、その複数の受光素子の受光結果を基に、上記バラツキに応じた固有の特徴データを含む画像データを生成する撮像装置およびそのデータ処理方法に関する。
【背景技術】
【０００２】
例えば、デジタル方式のカメラで撮像したデジタル形式の画像データが、当該画像データの著作権者の許諾を受けずに、第三者によって不正に使用されることがある。
このような不正使用を防止するために、画像データを生成したカメラを特定する情報を、電子透かし情報や、画像ファイルのヘッダとして画像データに付加し、これらの情報を基に不正な画像データを特定する方法がある。
【発明の開示】
【発明が解決しようとする課題】
【０００３】
しかしながら、上述した画像データに電子透かし情報を付加する方法では、電子透かしの埋め込み方式を統一できないため、電子透かし情報を検出できない場合がある。
また、上述した画像ファイルのヘッダとして付加する方法では、ヘッダの書き換えにより、カメラを特定する情報が容易に改竄されてしまう可能性がある。
その結果、被判定画像データが何れのカメラを基にして生成されたかを高い信頼性で特定することができないという問題がある。
【０００４】
本発明は上述した従来技術の問題点に鑑みてなされ、被判定画像データを生成したカメラを高い信頼性で判定することを可能にする撮像装置およびデータ処理方法を提供することを目的とする。
【課題を解決するための手段】
【０００５】
上述した従来技術の問題を解決し、上述した目的を達成するために、第１の発明の撮像装置は、第１の画素領域内にマトリクス状に配設された受光感度に固有のバラツキがある複数の受光素子を有する撮像手段と、前記第１の画素領域内で第２の画素領域をランダムに決定する決定手段と、前記撮像手段の前記複数の受光素子の受光結果のうち、前記決定手段が決定した前記第２の画素領域内にマトリクス状に位置する複数の前記受光素子の受光結果を基に、前記バラツキに応じた固有の特徴データを含む画像データを生成する生成手段とを有する。
【０００６】
第１の発明の撮像装置の作用は以下のようになる。
撮像手段が、第１の画素領域内にマトリクス状に配設された受光感度に固有のバラツキがある複数の受光素子を用いて撮像を行う。
また、決定手段が、前記第１の画素領域内で第２の画素領域をランダムに決定する。
次に、生成手段が、前記撮像手段の前記複数の受光素子の受光結果のうち、前記決定手段が決定した前記第２の画素領域内にマトリクス状に位置する複数の前記受光素子の受光結果を基に、前記バラツキに応じた固有の特徴データを含む画像データを生成する。
【０００７】
第２の発明のデータ処理方法は、第１の画素領域内にマトリクス状に配設された受光感度に固有のバラツキがある複数の受光素子の受光結果を基に画像データを生成するデータ処理方法であって、前記第１の画素領域内で第２の画素領域をランダムに決定する第１の工程と、前記複数の受光素子の受光結果のうち、前記第１の工程で決定した前記第２の画素領域内にマトリクス状に位置する複数の前記受光素子の受光結果を基に、前記バラツキに応じた固有の特徴データを含む画像データを生成する第２の工程とを有する。
【０００８】
第２の発明のデータ処理方法の作用は以下のようになる。
先ず、第１の工程において、第１の画素領域内で第２の画素領域をランダムに決定する。
次に、第２の工程において、前記複数の受光素子の受光結果のうち、前記第１の工程で決定した前記第２の画素領域内にマトリクス状に位置する複数の前記受光素子の受光結果を基に、前記バラツキに応じた固有の特徴データを含む画像データを生成する。
【発明の効果】
【０００９】
本発明によれば、被判定画像データを生成した撮像装置を特定する際に用いられる特徴データが不正に取得されることを困難にする撮像装置およびデータ処理方法を提供できる。
これにより、被判定画像データを生成した撮像装置を高い信頼性で判定することが可能になる。
【発明を実施するための最良の形態】
【００１０】
本実施形態の撮像装置は、例えば、デジタルスチルカメラやデジタルビデオカメラなどの受光感度に固有のバラツキがある複数の受光素子の受光結果を基に画像データを生成する。
本実施形態では、このような撮像装置を用いて生成された画像データがネットワークや記録媒体を介して配付される環境において、所定の被判定画像データを生成した撮像装置を、当該被判定画像データと当該撮像装置の特徴データとの相関を基に特定する場合に有用である。
すなわち、上記撮像装置で生成された画像データには、上述した複数の受光素子の受光感度に応じた固有のバラツキが上記特徴データとして含まれる。
この場合に、同じ撮像装置で撮像により生成した画像データ内には同じ特徴データが含まれる。
従って、同じ撮像装置で生成された複数の画像データを積算すると、画像データ内の特徴データが強調される。この場合に、積算する複数の画像データとして絵柄の異なるものを用いると、特徴データ以外の画像データ成分が平均化されて特徴データの抽出が可能になる。このような手順により、特徴データが他人に不正に利用されると、上述した所定の被判定画像データを生成した撮像装置を特定する場合の信頼性が損なわれる。
例えば、上述した手順により他人の撮像装置の特徴データを取得し、当該他人の撮像装置で生成された画像データから上記取得した特徴データを差し引くことで、当該画像データが上記他人のカメラで生成したものではないと主張するなどの不正行為が可能になる。
本実施形態の撮像装置は、当該撮像装置の画像データから上記特徴データを不正に取得することを回避するための構成を有している。
【００１１】
図１は、本発明の実施形態に係わる撮像装置１の構成図である。
図１に示すように、撮像装置１は、例えば、レンズ２、撮像部３、画像データ生成部４、画像変化量検出部５、記憶画素領域特定部６およびメモリ７を有する。
ここで、撮像部３が本発明の撮像手段に対応し、記憶画素領域特定部６が本発明の決定手段に対応し、画像データ生成部４が本発明の生成手段に対応している。
また、画像変化量検出部５が本発明の変化量検出手段に対応している。
【００１２】
〔撮像部３〕
撮像部３は、図２に示す有効画素領域Ａ（本発明の第１の画素領域）内に２次元的にマトリクス状に配設された複数の受光素子を備え、レンズ２を介して当該複数の受光素子に被写体からの光を結像し、その結像の結果に応じた有効画像データＳ３を画像データ生成部４に出力する。
ここで、上記受光素子は、例えば、図３に示すように、ＣＣＤ(Charge Coupled Device) 撮像素子の画素を構成する受光素子であり、受光感度に製造上の固有のばらつきがある。当該ばらつきは、人為的に再現困難なものである。
図３は、図１に示す撮像部３の受光素子２１の断面を模式的に示す図である。
図３に示すように、受光素子２１は、シリコン基板２２、開口部２３が設けられた遮光層２４、並びに集光レンズ２５を有する。
シリコン基板２２には、開口部２３と対向する位置に光電変換領域が形成されている。また、集光レンズ２５は、遮光層１４に対してシリコン基板２２と反対側の位置から、遮光層２４を介してシリコン基板２２に達するように形成されている。
【００１３】
開口部２３は、例えば、紫外線の露光によってエッチングのマスクになるレジストに微細加工を施した後、遮光層２４とその下部の絶縁層２６をエッチングによって除去して形成される。
集光レンズ２５は、ガラス層にフォトリソグラフィーにより微細加工を施した後、高温でガラス層を融解し球状に形成される。
上述した受光素子２１の製造過程で、開口部２３は、なるべく均一な形状が形成されるように制御されるが、様々な要因により形状にはばらつきが生じる。このため、複数の受光素子の各々の開口部２３の形状にはばらつきがある。
ここで、各受光素子の開口部２３の形状のばらつきによって、受光素子に入射する光（光束）の形状がばらつき、シリコン基板２２の光電変換領域に入射する光量がばらつく。従って、各受光素子によって、受光感度のばらつきが生じる。
このような受光感度のばらつきは、人為的なものではなく、しかも、指紋のようにそれぞれの受光素子に固有のものである。また、このような受光素子の受光感度のばらつきの影響が、撮像装置１によって生成される記憶画像データＳ４に特徴データとして生じる。
【００１４】
〔画像データ生成部４〕
画像データ生成部４は、記憶画素領域特定部６から図２に示す記憶画素領域Ｂ（本発明の第２の画素領域）を特定する記憶領域特定データＳ６を入力する。
画像データ生成部４は、撮像部３から入力した図２に示す有効画素領域Ａの有効画像データＳ３を基に、記憶領域特定データＳ６によって特定される記憶画素領域Ｂ内にマトリクス状に位置する受光素子の受光結果に対応した記憶画像データＳ４を生成する。
画像データ生成部４は、記憶画像データＳ４をメモリ７に書き込む。
また、画像データ生成部４は、撮像部３から入力した有効画像データＳ３を画像変化量検出部５に出力する。
【００１５】
〔画像変化量検出部５〕
画像変化量検出部５は、画像データ生成部４が生成した記憶画像データＳ４がメモリ７に動画像として記憶される場合には、画像変化量検出の対象となる有効画像データＳ３と、前回の画像変化量検出対象の有効画像データＳ３との変化量を検出し、当該変化量を示す変化量データＳ５を記憶画素領域特定部６に出力する。
具体的には、画像変化量検出部５は、画像変化量検出の対象となる有効画像データＳ３と、前回の画像変化量検出対象の有効画像データＳ３との対応する画素データ毎の差分の絶対値あるいは当該差分の自乗の総和を算出して上記変化量を検出する。
また、画像変化量検出部５は、例えば、画像変化量検出の対象となる有効画像データＳ３の動きベクトルを算出してその変化量を算出して上記変化量を検出する。
【００１６】
また、画像変化量検出部５は、有効画像データＳ３によって規定される全画像をマトリクス状に位置する複数のブロック画像に分割し、各ブロック画像毎に動きベクトルを生成する。そして、画像変化量検出部５は、各ブロック画像の動きベクトル間に所定の値以上の差分がない場合に、例えば、全画像について生成した動きベクトルの大きさを基に変化量データＳ５を生成する。
また、画像変化量検出部５は、上記複数のブロック画像に、動きベクトルの大きさが小さい背景画像に対応する部分と、動きベクトルの大きさが大きい背景以外の画像に対応する部分とがある場合に、背景に対応する部分の動きベクトルの大きさを基に変化量データＳ５を生成する。
【００１７】
また、画像変化量検出部５は、記憶画像データＳ４がメモリ７に静止画像として記憶される場合には、上述した動画像と同じように、画像変化量検出の対象となる静止画像の有効画像データＳ３と、前回の画像変化量検出対象の静止画像の有効画像データＳ３との変化量を基に変化量データＳ５を生成する。
また、画像変化量検出部５は、後述する記憶画素領域特定部６が記憶画素領域Ｂの移動量を固定にする場合は、上述した変化量の検出を行わなくてもよい。
【００１８】
〔記憶画素領域特定部６〕
記憶画素領域特定部６は、画像変化量検出部５から入力した変化量データＳ５を基に、図２に示す記憶画素領域Ｂを特定する領域特定データＳ６を生成する。
記憶画素領域特定部６は、変化量データＳ５を基に、図４に示すように有効画素領域Ａ内で記憶画素領域Ｂをランダムに移動させる。
本実施形態では、このように有効画素領域Ａ内で記憶画素領域Ｂをランダムに移動させることで、画像データ生成部４によって生成される複数の記憶画像データＳ４の間で当該記憶画像データＳ４内における特徴データの位置をランダムに設定できる。
これにより、複数の記憶画像データＳ４を積算しても特徴データを抽出できず、撮像装置１の特徴データが不正に取得および利用されることを回避できる。
また、複数の記憶画像データＳ４を積算した画像データと、上記特徴データとの相関を検出すると、当該画像データ内で相関レベルが高い複数の位置が検出され、当該画像データが不正なものであることを容易に特定できる。
【００１９】
記憶画素領域特定部６は、例えば、変化量データＳ５が所定のレベル以下の場合に、当該所定のレベルを超える場合に比べて、記憶画素領域Ｂを移動させる範囲を狭くする。
これにより、画像の変化が小さい場合には当該変化が大きい場合に比べて、記憶画素領域Ｂの移動量を小さくでき、画像変化が小さい場合に、記憶画素領域Ｂの移動を視認し難くできる。
【００２０】
記憶画素領域特定部６は、例えば、変化量データＳ５が所定のレベルを超える場合に、記憶画素領域Ｂ内の中心位置の画素を、当該画素の位置を含む図５（Ａ）に示す４ｘ４画素の移動範囲内でランダムに移動する。
一方、記憶画素領域特定部６は、例えば、変化量データＳ５が所定のレベル以下の場合に、記憶画素領域Ｂ内の中心位置の画素を、当該画素の位置を含む図５（Ｂ）〜（Ｇ）の何れかに示す２ｘ２画素の移動範囲内でランダムに移動する。
例えば、記憶画素領域特定部６は、前回、特定した記憶画素領域Ｂの中心位置の画素が図５（Ｈ）にある場合に、当該中心位置の画素を含む図５（Ｂ），（Ｃ），（Ｅ），（Ｆ）のうち何れかの移動範囲を選択し、当該選択した移動範囲内でランダムに移動させる。
なお、本実施形態では、記憶画素領域Ｂは、固定サイズであり、例えば、図２に示すように矩形である。
また、図５に示す各移動範囲の形状および大きさは例示である。
【００２１】
記憶画素領域特定部６は、例えば、変化量データＳ５を基に、記憶画素領域Ｂを移動させる移動範囲ではなく、１回の移動の移動量を決定してもよい。
記憶画素領域特定部６は、例えば、変化量データＳ５が所定のレベルを超える場合に、記憶画素領域Ｂ内の中心位置の画素を、図６（Ａ）に示す移動量でランダムな方向に移動する。
一方、記憶画素領域特定部６は、例えば、変化量データＳ５が所定のレベル以下の場合に、記憶画素領域Ｂ内の中心位置の画素を、図６（Ｂ）に示すように図６（Ａ）に比べて小さい移動量でランダムな方向に移動する。
この場合に、記憶画素領域特定部６は、例えば、図６（Ｂ）に示す場合に、目標位置に達するまで同じ目標位置を用いてもよいし、変化量データＳ５を入力する度に、目標位置を再度決定してもよい。
また、上記移動量は、整数画素精度および少数画素精度の何れで決定してもよい。
なお、記憶画素領域特定部６は、図５に示す方法と、図６に示す方法とを組み合わせて記憶画素領域Ｂを移動してもよい。
【００２２】
また、上述したように、画像変化量検出部５は有効画像データＳ３内に動きベクトルの大きさが大きい背景以外の画像に対応する部分がある場合に、背景に対応する部分の動きベクトルの大きさを基に変化量データＳ５を生成する。そのため、記憶画素領域特定部６は、変化量データＳ５を基に、背景画像で記憶画素領域Ｂの移動が視認されないように、記憶画素領域Ｂを移動できる。
また、画像変化量検出部５は、有効画像データＳ３の動きベクトルの移動方向が分かる場合には、その移動方向と同方向または逆方向に記憶画素領域Ｂを移動させる。これにより、記憶画素領域Ｂの移動を画像上で視認し難くできる。
【００２３】
なお、記憶画素領域特定部６は、移動量および移動範囲を予め固定している場合には、例えば、図５（Ａ）に示す移動範囲内で、記憶画素領域Ｂの中心位置の画素を、固定した移動量でランダムな方向に移動する。
また、画像変化量検出部５は、撮像モードが連写モードの場合に、通常モードに比べて小さい移動範囲あるいは移動量で記憶画素領域Ｂを移動させてもよい。
記憶画素領域特定部６が上述したようにモードによって記憶画素領域Ｂを移動させる場合には、画像変化量検出部５による上述した変化量の検出を行わなくてもよい。
また、記憶画素領域特定部６は、撮像装置１が電源オンする度に、有効画素領域Ａ内で記憶画素領域Ｂの位置をランダムに決定する。
これにより、複数回、撮像装置１を電源オンして、電源オン後に最初に生成された複数の記憶画像データＳ４を積算して特徴データが取得されることを回避できる。
【００２４】
以下、図１に示す撮像装置１の動作例を説明する。
図７は、図１に示す撮像装置１の動作例を説明するためのフローチャートである。
ステップＳＴ１：
撮像部３は、図２に示す有効画素領域Ａ内に２次元的にマトリクス状に配設された複数の受光素子に、レンズ２を介して被写体からの光を結像する。
ステップＳＴ２：
撮像部３は、ステップＳＴ１の受光素子の結像結果に応じた有効画像データＳ３を生成し、これを画像データ生成部４に出力する。
【００２５】
ステップＳＴ３：
画像データ生成部４は、図示しない設定部の設定操作によって、記憶画素領域Ｂの移動量が固定に設定されているか否かを判断し、固定に設定されていると判断するとステップＳＴ６に進み、そうでない場合にはステップＳＴ４に進む。
ステップＳＴ４：
画像データ生成部４は、図示しない設定部の設定操作によって、記憶画素領域Ｂの移動量が画像の変化量を基に決定されるように設定されているか否かを判断し、画像の変化量を基に決定されるように設定されていると判断するとステップＳＴ５に進み、そうでない場合にはステップＳＴ６に進む。
【００２６】
ステップＳＴ５：
画像変化量検出部５は、画像変化量検出の対象となる有効画像データＳ３と、前回の画像変化量検出対象の有効画像データＳ３との変化量を検出し、当該変化量を示す変化量データＳ５を記憶画素領域特定部６に出力する。
ステップＳＴ６：
記憶画素領域特定部６は、図２に示す記憶画素領域Ｂを特定する記憶領域特定データＳ６を生成する。
具体的には、記憶画素領域特定部６は、ステップＳＴ５が実行された場合には、画像変化量検出部５から入力した変化量データＳ５を基に、図２に示す記憶画素領域Ｂを特定する記憶領域特定データＳ６を生成する。
また、記憶画素領域特定部６は、ステップＳＴ３で移動量が固定であると判断された場合には、当該固定の移動量でランダムな方向に記憶画素領域Ｂを移動し、その移動した位置を示す記憶領域特定データＳ６を生成する。
また、記憶画素領域特定部６は、ステップＳＴ４で画像変化量を使用しないと判断された場合に、撮像モードが通常モードおよび連写モードの何れであるかを判断し、連写モードの場合に、通常モードに比べて小さい移動範囲あるいは移動量で記憶画素領域Ｂを移動させ、移動後の記憶画素領域Ｂの位置を特定する記憶領域特定データＳ６を生成する。
【００２７】
ステップＳＴ７：
画像データ生成部４は、撮像部３から入力した図２に示す有効画素領域Ａの有効画像データＳ３を基に、ステップＳＴ６で生成した記憶領域特定データＳ６によって特定される記憶画素領域Ｂ内にマトリクス状に位置する受光素子の受光結果に対応した記憶画像データＳ４を生成する。
【００２８】
以上説明したように、撮像装置１によれば、前述したように記憶画素領域特定部６が有効画素領域Ａ内で記憶画素領域Ｂをランダムに移動させることで、画像データ生成部４によって生成される複数の記憶画像データＳ４の間で当該記憶画像データＳ４内における特徴データの位置をランダムに設定できる。
そのため、複数の記憶画像データＳ４を積算しても特徴データを抽出できず、撮像装置１の特徴データが不正に取得および利用されることを回避できる。
これにより、撮像装置１の特徴データと被判定画像データとの間の相関が所定のレベル以上の場合に、撮像装置１を基に被判定画像データが生成されたか否かを判定する場合に、その判定の信頼性を高めることができる。また、本実施形態によれば、電子透かし情報などを付加する場合のように、付加した情報が改竄されることはなく、その判定の信頼性は従来に比べて高い。
【００２９】
以下、記憶画素領域Ｂの位置を移動させることによる本実施形態の効果を詳細に説明する。
例えば、図８に示すように、記憶画素領域Ｂの下辺をＸ座標とし、左辺をＹ座標とした座標系を考える。
ここで、所定の位置に記憶画素領域Ｂが規定された場合の記憶画像データＳ４内の特徴データをＩ（Ｘ，Ｙ）とする。
この場合に、同じ位置の記憶画素領域Ｂを基に生成されたＮ個の記憶画像データＳ４を積算すると、積算後の特徴データＪ（Ｘ，Ｙ）は下記式（１）のようになる。
【００３０】
（数１）
Ｊ（Ｘ，Ｙ）＝Ｎ＊Ｉ（Ｘ，Ｙ）
【００３１】
一方、上記Ｎ枚の記憶画像データＳ４を生成したときに異なる記憶画素領域Ｂを用い、その記憶画素領域Ｂが上記所定の位置に規定された記憶画素領域ＢをＸ方向にｋ、Ｙ方向にｌ、確率ｐklで移動したものである場合を考える。
この場合には、積算後の特徴データＪ（Ｘ，Ｙ）は下記式（２）のようになる。
【００３２】
（数２）
Ｊ（Ｘ，Ｙ）＝Σ（Ｎ＊ｐkl＊Ｉ（Ｘ＋ｋ，Ｙ＋ｌ））
＝Ｎ＊Σ（ｐkl＊Ｉ（Ｘ＋ｋ，Ｙ＋ｌ））
【００３３】
すなわち、本実施形態では、上記式（２）からも分かるように、特徴データが複数の位置にずらして強調されるので、強調後の特徴データの要素は、記憶画素領域Ｂをずらさない場合に比べてｐkl（＜１）倍となる。
例えば、記憶画素領域特定部６が、図５（Ａ）に示す４ｘ４画素の移動範囲内で記憶画素領域Ｂをランダムに移動した場合は、複数枚の記憶画像データＳ４を積算しても、記憶画素領域Ｂを移動しない場合に比べて、積算後の特徴データのレベルは１／１６倍になる。
これにより、特徴データを抽出し難くなる。
【００３４】
また、撮像装置１によれば、複数の記憶画像データＳ４を積算した画像データと、上記特徴データとの相関を検出すると、当該画像データ内で相関レベルが高い複数の位置が検出され、当該画像データが不正なものであることを容易に特定できる。
【００３５】
また、撮像装置１によれば、記憶画素領域特定部６が、前述したように記憶画像データＳ４を基に得られる画像内で記憶画素領域Ｂの移動が視認され難いように、記憶画素領域Ｂの移動範囲または移動量を決定する。
そのため、記憶画素領域Ｂの移動により、画質が劣化することを効果的に抑制できる。
【００３６】
本発明は上述した実施形態には限定されない。
例えば、上述した実施形態では、画像データ生成部４が、記憶画素領域特定部６からの記憶領域特定データＳ６を基に有効画像データＳ３から記憶画像データＳ４を生成する場合を例示したが、本発明は、例えば、撮像部３が、記憶領域特定データＳ６を基に、有効画素領域Ａ内の特定された記憶画素領域Ｂ内に位置する受光素子から画素データを読み出して記憶画像データＳ４を生成してもよい。
【００３７】
なお、本実施形態では、撮像装置１が手ぶれ補正機能を備えている場合でも、記憶画素領域特定部６による上述した記憶画素領域Ｂのランダムな移動を行う。これは、手ぶれ補正機能を備えている場合でも、一定の手ぶれを複数回発生して撮像を行うことで、特徴データの抽出が可能だからである。
【産業上の利用可能性】
【００３８】
本発明は、受光感度に固有のバラツキがある複数の受光素子を備え、その複数の受光素子の受光結果を基に、上記バラツキに応じた固有の特徴データを含む画像データを生成する撮像装置に適用可能である。
【図面の簡単な説明】
【００３９】
【図１】図１は、本発明の撮像装置の構成図である。
【図２】図２は、図１に示す撮像部の受光素子の配置を説明するための図である。
【図３】図３は、図１に示す撮像装置の受光素子の断面を模式的に示す図である。
【図４】図４は、図１に示す記憶画素領域特定部を説明するための図である。
【図５】図５は、図１に示す記憶画素領域特定部を説明するための図である。
【図６】図６は、図１に示す記憶画素領域特定部を説明するための図である。
【図７】図７は、図１に示す撮像装置の動作例を説明するための図である。
【図８】図８は、図１に示す撮像装置の効果を説明するための図である。
【符号の説明】
【００４０】
１…撮像装置、２…レンズ、３…撮像部、４…画像データ生成部、５…画像変化量検出部、６…記憶画素領域特定部、７…メモリ
【図１】
2005204011.tif 000003
【図２】
2005204011.tif 000004
【図３】
2005204011.tif 000005
【図４】
2005204011.tif 000006
【図５】
2005204011.tif 000007
【図６】
2005204011.tif 000008
【図７】
2005204011.tif 000009
【図８】
2005204011.tif 000010